【手続補正書】
【提出日】平成16年11月16日(2004.11.16)
【手続補正１】
【補正対象書類名】明細書
【補正対象項目名】全文
【補正方法】変更
【補正の内容】
【書類名】  明細書
【発明の名称】  表示装置及び表示方法
【特許請求の範囲】
【請求項１】表示デバイスと、
表示データを入力し、この表示データのＲＧＢ各成分を、疑似階調処理を用いて減色する疑似階調処理手段と、
減色された表示データを記憶するフレームメモリと、
前記フレームメモリが記憶する減色後の表示データを、多ビット化する階調補正手段と、
多ビット化された表示データを用いて、前記表示デバイスを駆動する駆動手段とを備え、
前記疑似階調処理手段は、ＲＧＢ各成分の輝度貢献度を反映した階調数となるように減色することを特徴とする表示装置。
【請求項２】表示デバイスと、
表示データを入力し、この表示データのＲＧＢ各成分を、疑似階調処理を用いて減色する疑似階調処理手段と、
減色された表示データを記憶するフレームメモリと、
前記フレームメモリが記憶する減色後の表示データを、多ビット化する階調補正手段と、
多ビット化された表示データを用いて、前記表示デバイスを駆動する駆動手段とを備え、
前記疑似階調処理手段は、減色後のＲＧＢ各成分の階調数が、Ｇ成分＞Ｒ成分＞Ｂ成分となるように減色することを特徴とする表示装置。
【請求項３】減色後に、Ｇ成分の階調数が、Ｂ成分の階調数の２倍を超えて２０倍以下であることを特徴とする請求項１または２記載の表示装置。
【請求項４】減色後の階調数が、Ｒ成分：Ｇ成分：Ｂ成分＝２：４：１であることを特徴とする請求項１または２記載の表示装置。
【請求項５】減色後の階調数が、Ｒ成分＝１６、Ｇ成分＝３２、Ｂ成分＝８であることを特徴とする請求項１または２記載の表示装置。
【請求項６】表示デバイスと、
表示データを入力し、この表示データのＲＧＢ各成分を、疑似階調処理を用いて減色する疑似階調処理手段と、
減色された表示データを記憶するフレームメモリと、
前記フレームメモリが記憶する減色後の表示データを、多ビット化する階調補正手段と、
多ビット化された表示データを用いて、前記表示デバイスを駆動する駆動手段とを備えたことを特徴とする表示装置。
【請求項７】前記表示デバイスは、ＬＣＤであることを特徴とする請求項１から６記載の表示装置。
【請求項８】表示データを入力し、この表示データのＲＧＢ各成分を、疑似階調処理を用いて減色するステップと、
減色された表示データをフレームメモリに記憶するステップと、
フレームメモリが記憶する減色後の表示データを、多ビット化するステップと、
多ビット化された表示データを用いて、表示デバイスを駆動するステップとを含み、
減色後のＲＧＢ各成分の階調数が、Ｇ成分＞Ｒ成分＞Ｂ成分となるように減色することを特徴とする表示方法。
【請求項９】表示データを入力し、この表示データのＲＧＢ各成分を、疑似階調処理を用いて減色するステップと、
減色された表示データをフレームメモリに記憶するステップと、
フレームメモリが記憶する減色後の表示データを、多ビット化するステップと、
多ビット化された表示データを用いて、表示デバイスを駆動するステップとを含み、
ＲＧＢ各成分の輝度貢献度を反映した階調数となるように減色することを特徴とする表示方法。
【請求項１０】減色後に、Ｇ成分の階調数が、Ｂ成分の階調数の２倍を超えて２０倍以下であることを特徴とする請求項８または９記載の表示方法。
【請求項１１】減色後の階調数が、Ｒ成分：Ｇ成分：Ｂ成分＝２：４：１であることを特徴とする請求項８または９記載の表示方法。
【請求項１２】減色後の階調数が、Ｒ成分＝１６、Ｇ成分＝３２、Ｂ成分＝８であることを特徴とする請求項８または９記載の表示方法。
【請求項１３】表示データを入力し、この表示データのＲＧＢ各成分を、疑似階調処理を用いて減色するステップと、
減色された表示データをフレームメモリに記憶するステップと、
フレームメモリが記憶する減色後の表示データを、多ビット化するステップと、
多ビット化された表示データを用いて、表示デバイスを駆動するステップとを備えたことを特徴とする表示方法。
【請求項１４】表示デバイスは、ＬＣＤであることを特徴とする請求項８から１３記載の表示方法。
【発明の詳細な説明】
【０００１】
【発明の属する技術分野】
本発明は、多階調の表示データを、組織的ディザ法や誤差拡散法などを用いて減色してフレームメモリに記憶させ、表示を行う表示装置及びその方法に関するものである。
【０００２】
【従来の技術】
従来より、多階調の表示データを、組織的ディザ法や誤差拡散法などを用いて減色して、階調表現ビット数の少ないＬＣＤ等を備えた表示装置で表示する方法が知られている。
【０００３】
元来、この方法は、ＬＣＤ等の表示デバイス自身の性能として、多階調の表現が困難であったため行われてきた。
【０００４】
しかしながら、近年は、デバイス自身の階調表現性能の向上により、むしろ、表示メモリの削減により、装置の低消費電力化やコスト低減を、意図して行われる場合が増えている。
【０００５】
この種の技術については、次の文献がある。まず、特開平９−５０２６２号公報には、組織的ディザ法を用いる例が開示されている。また、特開平６−１３８８５８号公報には、誤差拡散法を用いる例が開示されている。
【０００６】
そして、これらの公報では、多ビット（例えば、ＲＧＢ各成分が８ビットあるいは６ビットなど）の表示データを、１２ビット（４０９６色）に減色している。以下、説明の便宜上、多ビットの表示データを１２ビット（４０９６色）に減色する例を取り上げるが、本発明は、その趣旨を逸脱しない限り、他の減色をする場合にも適用できる。
【０００７】
【発明が解決しようとする課題】
さて、これらの公報では、１２ビット（４０９６色）に減色する際に、ＲＧＢ各成分に、それぞれ４ビットずつ分配していた。また、８ビット表色系では、Ｒ：Ｇ：Ｂ＝３：３：２（ビット）としたり、１６ビット表色系では、Ｒ：Ｇ：Ｂ＝５：６：５（ビット）とする例もある。いずれにしても、ＲＧＢについて、ほぼ均等に割り当てればよいという思想によるものであって、完全に均等に割り振れないときに、高々１ビットを減らしたり（８ビット）、増やしたり（１６ビット）する程度に過ぎない。
【０００８】
しかしながら、詳細な理由は後述するが、このような分配は、人間の視覚特性から逸脱しており、結論をいえば、Ｇ成分が少なすぎて表示品位が不足し、また、Ｂ成分が多すぎて情報量が無駄遣いされる結果となっていた。
【０００９】
より具体的には、Ｇ成分が少なすぎるため、隣接画素間の凹凸感や疑似輪郭等が発生しやすかった。また、Ｂ成分が多すぎるため、必要なメモリ量が、必要以上に多くなって、消費電力の無駄遣いやコスト上昇を招来していた。この点が第１の問題点である。
【００１０】
本発明は、第１の問題点に鑑み、少ない情報量でも、美しい表示結果が得られる表示装置及びその方法を提供することを第１の目的とする。
【００１１】
次に、本発明の第２の目的に関する、第２の問題点を、図８〜図１１を用いて説明する。図８は、従来の表示装置のブロック図である。
【００１２】
図８において、疑似階調処理手段１は、表示データ（本例では、ＲＧＢ各６ビットであるが、ＲＧＢ各８ビットでも良い）を入力し、疑似階調処理によって、ＲＧＢ各４ビット、合計１２ビット（４０９６色）に減色する。ここで、疑似階調処理手段１の疑似階調処理は、組織的ディザ法でも誤差拡散法でも良い。
【００１３】
フレームメモリ２は、疑似階調処理手段１が出力する減色後のデータを記憶する。ここでは、ＲＧＢ各４ビットに減色するから、フレームメモリ２は、１ピクセルあたり１２ビット記憶する容量を持つ。
【００１４】
駆動手段３は、フレームメモリ２のデータに基づいて、ＬＣＤ４をドライブする。ここでは、表示デバイスとして、ＬＣＤ４を用いているが、ＣＲＴやプラズマディスプレイを用いることもできる。
【００１５】
そして、従来技術では、減色されたデータであって、フレームメモリ２に記憶されたものに基づき、ＲＧＢ各４ビットで、表示を行っていた。
【００１６】
近年、技術の進歩により、ＬＣＤであっても、例えば、６ビット（６４階調）で表示できるものがある。そして、６４階調表示できるＬＣＤの反射率特性を図示すると、図９のとおりである。
【００１７】
また、減色後の４ビット（１６階調）によるＬＣＤの反射率特性を図示すると、図１０のようになる。
【００１８】
さて実際に、ＬＣＤを駆動するには、階調データの間隔が「視覚的に均等」に近いほど、階調がなめらかに変化し、色つぶれなどを防止できる。
【００１９】
このため、図１の反射率特性を相殺するために、図８の駆動手段３において、図１１の特性による補正を行うことが考えられる。
【００２０】
しかしながら、従来技術では、この補正を行っても、図１１を見れば明らかなように、表示可能な階調が離散的になってしまう。特に、この点は、色むらが目立ちやすい中間調で顕著になっており、見た目の表示品位が不足していた。この点が、第２の問題点である。
【００２１】
本発明は、第２の問題点に鑑み、減色してメモリの容量を節約しながらも、見た目の表示品位を維持できる表示装置及びその方法を提供することを、第２の目的とする。
【００２２】
【課題を解決するための手段】
第１の目的のため、本発明に係る表示装置では、表示デバイスと、表示データを入力し、この表示データのＲＧＢ各成分を、疑似階調処理を用いて減色する疑似階調処理手段と、減色された表示データを記憶するフレームメモリと、フレームメモリが記憶する表示データ由来のデータを用いて表示デバイスを駆動する駆動手段とを備え、疑似階調処理手段は、ＲＧＢ各成分の輝度貢献度を反映した階調数となるように減色する。
【００２３】
また、減色後のＲＧＢ各成分の階調数が、Ｇ成分＞Ｒ成分＞Ｂ成分となるように減色して、表示装置を構成する。
【００２４】
第２の目的のため、本発明に係る表示装置では、表示デバイスと、表示データを入力し、この表示データのＲＧＢ各成分を、疑似階調処理を用いて減色する疑似階調処理手段と、減色された表示データを記憶するフレームメモリと、フレームメモリが記憶する減色後の表示データを、多ビット化する階調補正手段と、多ビット化された表示データを用いて、表示デバイスを駆動する駆動手段とを備えて、表示装置を構成する。
【００２５】
【発明の実施の形態】
請求項１記載の表示装置では、表示デバイスと、表示データを入力し、この表示データのＲＧＢ各成分を、疑似階調処理を用いて減色する疑似階調処理手段と、減色された表示データを記憶するフレームメモリと、フレームメモリが記憶する減色後の表示データを、多ビット化する階調補正手段と、多ビット化された表示データを用いて、表示デバイスを駆動する駆動手段とを備え、疑似階調処理手段は、ＲＧＢ各成分の輝度貢献度を反映した階調数となるように減色する。
【００２６】
また、請求項２記載の表示装置では、表示デバイスと、表示データを入力し、この表示データのＲＧＢ各成分を、疑似階調処理を用いて減色する疑似階調処理手段と、減色された表示データを記憶するフレームメモリと、フレームメモリが記憶する減色後の表示データを、多ビット化する階調補正手段と、多ビット化された表示データを用いて、表示デバイスを駆動する駆動手段とを備え、疑似階調処理手段は、減色後のＲＧＢ各成分の階調数が、Ｇ成分＞Ｒ成分＞Ｂ成分となるように減色する。
【００２７】
これらの構成により、人間の視覚特性に合わせて、ＲＧＢ各成分を減色することができ、少ない情報量で、美しい表示結果が得られる。
【００２８】
請求項３記載の表示装置では、減色後に、Ｇ成分の階調数が、Ｂ成分の階調数の２倍を超えて２０倍以下である。
【００２９】
また、請求項４記載の表示装置では、減色後の階調数が、Ｒ成分：Ｇ成分：Ｂ成分＝２：４：１である。
【００３０】
これらの構成により、減色後のＲＧＢ各成分を、輝度貢献度を反映した配分にすることができる。
【００３１】
請求項５記載の表示装置では、減色後の階調数が、Ｒ成分＝１６、Ｇ成分＝３２、Ｂ成分＝８である。
【００３２】
この構成により、減色後のＲＧＢ各成分が、２のべき乗となり、ハードウエアで構成しやすい。
【００３３】
請求項６記載の表示装置では、表示デバイスと、表示データを入力し、この表示データのＲＧＢ各成分を、疑似階調処理を用いて減色する疑似階調処理手段と、減色された表示データを記憶するフレームメモリと、フレームメモリが記憶する減色後の表示データを、多ビット化する階調補正手段と、多ビット化された表示データを用いて、表示デバイスを駆動する駆動手段とを備える。
【００３４】
この構成により、減色し、記憶し、多ビット化してから、表示を行う一連のプロセスを実施でき、従来技術と同じメモリ量で、よりきめ細やかな階調表示を行える。
【００３５】
請求項７記載の表示装置では、表示デバイスは、ＬＣＤである。
【００３６】
この構成により、携帯電話、モバイルコンピュータなど、携帯性を要求される電子機器に適用できる。
【００３７】
以下図面を参照しながら、本発明の実施の形態について説明する。まず、具体的構成を説明するに先立ち、本発明のビット配分に係わる、原理を説明する。
【００３８】
はじめに、視覚の空間周波数特性について、説明する。人間の視覚感度は、図２に示すような、空間周波数特性を持つ。ここで、図２の横軸は、空間周波数（ｃ／ｄｅｇ）であり、縦軸は、コントラスト感度である。また、菱形のプロットは輝度のデータであり、四角のプロットは色度（赤−緑）、三角のプロットは色度（青−黄）のそれである。
【００３９】
このグラフにおいて、コントラスト感度とは、コントラスト閾の逆数であり、このコントラスト閾は、輝度又は色度が空間的に変化（平均輝度又は平均色度は一定）する、正弦波パターンに従う縞を、人間に見せて求めた、人間が知覚できる最小のコントラストである。
【００４０】
また、空間周波数は、正弦波パターンの周波数を、人間の視野角（ｄｅｇ）に換算したものである。
【００４１】
図２を見れば、輝度及び色度のいずれについても、空間周波数が大きくなると、コントラスト感度が落ち込んだ、右下がりの傾向を示し、一定空間周波数以上では、コントラスト感度が１となり、縞を知覚できなくなることがわかる。また、この落ち込みは、輝度よりも色度のほうが、小さな空間周波数で発生する。
【００４２】
具体的には、１０（ｄｅｇ）程度の空間周波数において、人間は、色度については、変化（ここでは縞の間隔：正確には、正弦波パターンの波長）が存在しても、ごまかされてしまい一様にしか見えない。しかし、人間は、輝度の変化を見破ることができる。
【００４３】
次に、人間の視野角について、説明する。視野角とは、人間が、ある観察対象を見るとき、目の視点と観察対象の両端とを結ぶ、２本の線分が、なす角である。視野角は、視点が一定であり、かつ、視点と観察対象との距離が一定でも、観察対象の両端の幅が異なれば、異なる値となる。
【００４４】
視野角は、図３に示すように、視力検査において、頻繁に、利用されている。視力検査では、ランドルド環（「Ｃ」字形をなし、一つの切れ目を持つ）を、大小さまざまに配置したボードを、被験者に見せる。
【００４５】
被験者は、片目で、ボードから一定距離だけ離れた位置から、験者に指示された、ランドルド環を見て、切れ目が知覚できるか、また、その切れ目の方向はどちらか、という、質問に答える。因みに、視力が「１．０」以上であるということは、このランドルド環の切れ目が、視野角で１分であるとき、この切れ目を知覚できることを意味する。
【００４６】
以上の前提をふまえて、次に、表示装置における、視野角及び視覚の空間周波数特性について、説明する。
【００４７】
表示装置は、ＣＲＴ、ＬＣＤのいずれについても、縦横多数配置された、画素（ピクセル）を持つ。そして、各画素のＲＧＢ成分の値によって、画像の表示を行う。
【００４８】
さて、上述の前提において、図４に示しているように、「縞の間隔」を、「隣接画素間のピッチ」に置き換えると、上述の前提を、表示装置における視認に応用できる。
【００４９】
ここで、視野角を規定するには、観察距離（視点と観察対象との距離）を定めなければならない。そこで本例では、観察距離を３０ｃｍと仮定する。この観察距離は、携帯された表示装置と、それを見る人間の目との距離として、常識的な値を仮定したものであり、他の値を適用しても、本発明は同様に実施できる。
【００５０】
観察距離を仮定すれば、図２の横軸「空間周波数（ｃ／ｄｅｇ）」を、表示装置の「表示解像度（ＰＰＩ：ｐｉｘｅｌ  ｐｅｒ  ｉｎｃｈ）」に換算できる。その換算の結果を図示すれば、図５のとおりである。
【００５１】
図５から、観察距離が３０ｃｍ程度であり、表示解像度が１００ｐｐｉ程度であるとき、人間は、輝度については、隣接画素間の変化を知覚できるが、色度については、その変化を知覚できず、ごまかされてしまい一様にしか見えないということが分かる。なお、ＬＣＤでは、１００ｐｐｉ程度の表示解像度を持つものが多い。
【００５２】
以上の知見は、疑似階調により減色を行う、表示装置において、隣接画素間の凹凸感や疑似輪郭など、見た目の画質を劣化させる現象を目立ちにくくする、技術に役立つ。
【００５３】
即ち、このような現象を目立ちにくくするための解は、「ＲＧＢ各成分について、輝度貢献度が高い成分により、多くの階調数を持たせて表示品位を向上させると共に、輝度貢献度が低い成分については、より少ない階調数しか割り当てず、情報量の節約を図る」ということである。
【００５４】
次に、表示装置として代表的な、ＣＲＴ及びＬＣＤについて、ＲＧＢ各成分の輝度貢献度及びそれによる階調数の分配比を整理する。
【００５５】
ＣＲＴについて、ＩＴＵ−Ｒ  ＢＴ．７０９によれば、輝度変換係数は、Ｒ＝０．２１３、Ｇ＝０．７１５、Ｂ＝０．０７２であり、最も小さな輝度変換係数を持つＢ成分を「１」とすると、輝度貢献度の比は、Ｒ：Ｇ：Ｂ＝３．０：９．９：１．０である。
【００５６】
したがって、このような特性を持つ、ＣＲＴについては、原理的に、階調数の分配比を、輝度貢献度の比に比例させ、Ｒ：Ｇ：Ｂ＝３：１０：１とするのが、望ましい。
【００５７】
また、反射型ＬＣＤについて、本発明者らは、次の実測値を求めた。即ち、この実測値によれば、輝度変換係数は、Ｒ＝０．２５５、Ｇ＝０．４７３、Ｂ＝０．１３１であり、最も小さな輝度変換係数を持つＢ成分を「１」とすると、輝度貢献度の比は、Ｒ：Ｇ：Ｂ＝１．９：３．６：１．０である。
【００５８】
したがって、このような特性を持つ、反射型ＬＣＤについては、原理的に、階調数の分配比を、輝度貢献度の比に比例させ、Ｒ：Ｇ：Ｂ＝２：４：１あるいは２：３：１とするのが、望ましい。
【００５９】
また、透過型ＬＣＤについて、本発明者らは、次の実測値を求めた。即ち、この実測値によれば、輝度変換係数は、Ｒ＝０．２５９、Ｇ＝０．６２２、Ｂ＝０．１１９であり、最も小さな輝度変換係数を持つＢ成分を「１」とすると、輝度貢献度の比は、Ｒ：Ｇ：Ｂ＝２．２：５．２：１．０である。
【００６０】
したがって、このような特性を持つ、透過型ＬＣＤについては、原理的に、階調数の分配比を、輝度貢献度の比に比例させ、Ｒ：Ｇ：Ｂ＝２：５：１とするのが、望ましい。
【００６１】
以上のように、ＣＲＴ、ＬＣＤのいずれにおいても、ＲＧＢ各成分において、Ｇ成分が、最も輝度貢献度が大きく、次に、Ｒ成分が続き、Ｂ成分が最も輝度貢献度が小さい。
【００６２】
また、Ｇ成分の輝度貢献度は、Ｂ成分のそれの３倍〜１０倍の範囲にある。したがって、本形態では、減色後において、Ｇ成分の階調数を、Ｂ成分の階調数の、３倍以上１０倍以下の範囲にする。
【００６３】
但し、Ｇ成分の階調数を、Ｂ成分の階調数の、２倍を超えて２０倍以下の範囲にしても、実用上差し支えない。
【００６４】
「２０倍」という上限値をとったのは、本発明者らの知る限りにおいて、次のようなＬＣＤがあるからである。
【００６５】
このＬＣＤでは、ＲＧＢ３原色を発光する各発光素子のピーク波長は、λＲ＝６３０ｎｍ、λＧ＝５３０ｎｍ、λＢ＝４７０ｎｍである。
【００６６】
ＲＧＢ各原色のＣＩＥ−ｘｙ色度座標値は、
Ｒについて  （ｘ，ｙ）＝（０．７０７９５７，０．２９２０４３）
Ｇについて  （ｘ，ｙ）＝（０．１５４７１６，０．８０５８３３）
Ｂについて  （ｘ，ｙ）＝（０．１２４１４２，０．０５７８１４）
【００６７】
そして、このＬＣＤのＲＧＢ各発光素子の輝度貢献度の比は、Ｒ：Ｇ：Ｂ＝５：１４：１である。
【００６８】
さて、ハードウエアで構成する際には、比の各値は、２のべき乗であることが望ましい。なぜなら、２のべき乗にすると、ハードウエアの無駄が少なく、ハードウエアの規模を小さくすることができるからである。
【００６９】
以上の点を勘案すれば、階調数の分配比は、Ｒ：Ｇ：Ｂ＝２：４：１とするのが、望ましい。例えば、１２ビットの色成分を用いて、４０９６色表示を行うには、ビット配分を、Ｒ＝４ビット、Ｇ＝５ビット、Ｂ＝３ビットとするのが、最適である。
【００７０】
以上で、本発明の原理の説明を終わり、次に、本形態における表示装置の具体的構成を、図１、図６、図７を用いて説明する。図１は、本発明の一実施の形態における表示装置のブロック図である。
【００７１】
図１において、疑似階調処理手段１０は、表示データ（本例では、ＲＧＢ各６ビットであるが、ＲＧＢ各８ビットでも良い）を入力し、疑似階調処理によって、合計１２ビット（４０９６色）に減色する。但し、上述した原理に従い、疑似階調処理手段１０は、Ｒ成分を４ビットに減色し、Ｇ成分を５ビットに、Ｂ成分を３ビットに、それぞれ減色する。
【００７２】
ここで、疑似階調処理手段１０の疑似階調処理は、組織的ディザ法でも誤差拡散法でも良い。
【００７３】
フレームメモリ１１は、疑似階調処理手段１が出力する減色後のデータを記憶する。本例では、従来技術を示す図８と同様に、フレームメモリ１１は、１ピクセルあたり１２ビット記憶する容量を持つ。したがって、消費電力やコストも従来技術とほぼ同じである。
【００７４】
しかしながら、上述した原理に従い、フレームメモリ１１は、１ピクセルあたり、Ｒ成分を４ビット、Ｇ成分を５ビット、Ｂ成分を３ビット、それぞれ記憶する。
【００７５】
さて、本形態では、図１に示しているように、従来技術と異なり、フレームメモリ１１の１２ビットデータを、そのまま駆動手段１３へ出力するのではなく、フレームメモリ１１の後段であって、駆動手段１３の前段の位置に設けた、階調補正手段１２により、フレームメモリ１１の１２ビットデータを１８ビットデータに補正してから、駆動手段１３へ出力するようにしている。
【００７６】
この駆動手段１３は、具体的には、ＬＣＤドライバＬＳＩ、ＬＣＤ基板上に搭載された駆動回路、ＣＲＴ用のＤＡコンバータ回路、プラズマディスプレイ用の駆動回路等である。
【００７７】
この階調補正手段１２は、４ビットのＲ成分、５ビットのＧ成分、３ビットのＢ成分を、それぞれ各６ビットのデータに補正する。具体的には、図６に示した、１次元のビット変換テーブルを用いて、減色された各成分を多ビット化している。ここでは、６ビット（６４階調）に多ビット化しているが、他のビット値へ多ビット化することもできる。
【００７８】
以下、４ビットのＲ成分を、６ビットに多ビット化する要領を説明するが、Ｇ成分（５→６ビット）、Ｂ成分（３→６ビット）については、数値が異なるだけであり、同様に処理できるので、説明を省略する。
【００７９】
さて、駆動手段１３は、フレームメモリ１１に記憶され、減色された各成分から見て、多ビット化されたデータを入力することになる。このため、駆動手段１３は、図１１の特性による従来技術の補正（反射率特性を相殺するもの）に代えて、図７の特性による補正（反射率特性を相殺するもの）を、行うことができる。
【００８０】
図１１と図７とを比較すれば明らかなように、本形態では、表示可能な階調が４倍となり、より緻密になっている。特に、色むらが目立ちやすい中間調において、なめらかに階調を変化させることができ、表示品位を大幅に改善することができる。
【００８１】
したがって、図１のＬＣＤ１４が、６４階調表示できるものであるとき、その性能を十分に発揮させることができる。なお、図１では、表示デバイスとして、ＬＣＤ（反射型、透過型、半透過型のいずれでもよい）を用いたが、ＣＲＴやプラズマディスプレイを用いることも可能である。
【００８２】
ここで、図１をあらためて、注目されたい。図１では、フレームメモリ１１のメモリ量は、従来技術を示す図８と同じ（１ピクセルあたり１２ビット）である。ところが、疑似階調処理手段１０で減色されたデータがフレームメモリ１１に記憶され、フレームメモリ１１の減色されたデータが階調補正手段１２で多ビット化されて、駆動手段１３へ出力される。
【００８３】
つまり、「減色→記憶→多ビット化→駆動手段１３の補正→表示」という一連のプロセスを実施している。これにより、従来技術と同じメモリ量で、よりきめ細やかな階調表示を行えるのである。
【００８４】
勿論、ここでは、上述した原理に従って、減色する際のＲＧＢ各成分比を、人間の視覚特性に合わせて、Ｇ成分＞Ｒ成分＞Ｂ成分としているため、一層、高品位の見やすい表示を実現できるのである。
【００８５】
なお、図１において、疑似階調処理手段１０及び階調補正手段１２は、ソフトウエア／ハードウエアのいずれで構成しても良い。
【００８６】
また、図１において、階調補正手段１２は、省略することもできる。省略する場合には、フレームメモリ１１内のデータを駆動手段１３へ出力することになるが、図１のように、ＲＧＢ各成分について、６ビットの駆動手段１３を使用するときには、ダミーのデータを付加して、ＲＧＢ各成分が６ビットになるようにすると良い。
【００８７】
本例では、このダミーのデータは、Ｒ成分について２ビット、Ｇ成分については１ビット、Ｂ成分については３ビットとなる。
【００８８】
あるいは、図示していないが、ＲＧＢ各成分について、異なるビット数に対応した駆動手段（Ｒ成分４ビット、Ｇ成分５ビット、Ｂ成分３ビット）を使用することもできる。
【００８９】
【発明の効果】
請求項１、２、８、９では、人間の視覚特性に合わせた減色を行い、少ないメモリ量で、表示品位を向上できる。
【００９０】
請求項３、４、１０、１１では、減色後のＲＧＢ各成分を、輝度貢献度を反映した配分にできる。
【００９１】
請求項５、１２では、減色後のＲＧＢ各成分が、２のべき乗となり、ハードウエアで構成しやすい。
【００９２】
請求項６、１３では、減色し、記憶し、多ビット化してから、表示を行うことにより、メモリ量を抑制しつつ、きめ細やかな階調表示を行える。
【００９３】
請求項７、１４では、携帯性が必要な電子機器に適用しやすい。
【図面の簡単な説明】
【図１】
本発明の一実施の形態における表示装置のブロック図
【図２】
同視覚感度の空間周波数特性を示すグラフ
【図３】
同視力の説明図
【図４】
同表示装置における視野角の説明図
【図５】
同隣接画素における視覚感度の空間周波数特性を示すグラフ
【図６】
同変換テーブルの例示図
【図７】
同反射率特性を示すグラフ
【図８】
従来の表示装置のブロック図
【図９】
同ＬＣＤの反射率特性を示すグラフ
【図１０】
同反射率特性を示すグラフ
【図１１】
同表示装置の反射率特性を示すグラフ
【符号の説明】
１０  疑似階調処理手段
１１  フレームメモリ
１２  階調補正手段
１３  駆動手段
１４  ＬＣＤ